(57)【特許請求の範囲】
【請求項１】
波長分割多重伝送に用いられる光送信機であって、
前記光送信機に入力した入力データ信号に基づいた電気信号であって、前記光送信機から送信される光信号に変換される電気信号を監視する電気信号監視部と、
前記光送信機から送信される光信号を監視して監視情報を作成する光信号監視部と、
前記電気信号監視部が前記光送信機に入力した入力データ信号の異常により電気信号が異常と判断した場合、前記光信号監視部で作成された監視情報を基にして前記光送信機から送信される光信号のパワーを前記光送信機に入力した正常な入力データ信号における光信号のパワーとなるように制御するパワー制御部と、を備える光送信機。
【請求項２】
前記光送信機から送信される光信号を発生する発光素子と、
変調を含めて前記発光素子を駆動する駆動回路と、
前記発光素子にバイアス電流を供給するバイアス電流源と、
をさらに備え、
前記パワー制御部は前記駆動回路及び前記バイアス電流源を制御することにより、前記光送信機から送信される光信号のパワーを前記光送信機に入力した正常な入力データ信号における光信号のパワーにする、請求項１記載の光送信機。
【請求項３】
光を発生する発光素子と、
前記発光素子にバイアス電流を供給するバイアス電流源と、
前記発光素子で発生した光を変調することにより前記光送信機から送信される光信号を生成する外部変調素子と、
前記外部変調素子を駆動する駆動回路と、
をさらに備え、
前記パワー制御部は前記バイアス電流源、前記外部変調素子及び前記駆動回路を制御することにより、前記光送信機から送信される光信号のパワーを前記光送信機に入力した正常な入力データ信号における光信号のパワーにする、請求項１記載の光送信機。
【請求項４】
光を発生する発光素子と、
前記発光素子にバイアス電流を供給するバイアス電流源と、
前記発光素子で発生した光を変調することにより前記光送信機から送信される光信号を生成する外部変調素子と、
前記外部変調素子を駆動する駆動回路と、
をさらに備え、
前記外部変調素子は前記発光素子と同一基板に集積された電界吸収型であり、前記パワー制御部は前記バイアス電流源、前記外部変調素子及び前記駆動回路を制御することにより、前記光送信機から送信される光信号のパワーを前記光送信機に入力した正常な入力データ信号における光信号のパワーにする、請求項１記載の光送信機。
【請求項５】
前記光送信機から送信される光信号を分岐する光分岐部をさらに備え、
前記光信号監視部は前記光分岐部で分岐された光信号のパワーに基づいて前記光送信機から送信される光信号のパワーの平均値を演算する平均値演算部を含み、
前記光信号監視部で作成される監視情報は前記平均値演算部で演算された平均値の情報である、請求項１〜３のいずれかに記載の光送信機。
【請求項６】
前記光信号監視部は前記外部変調素子で発生した暗電流の平均値を演算する平均値演算部を含み、
前記光信号監視部で作成される監視情報は前記平均値演算部で演算された平均値の情報である、請求項４記載の光送信機。
【請求項７】
正常な入力データ信号に基づいて前記光送信機から送信される光信号の監視により前記光信号監視部で作成される監視情報を記憶するメモリをさらに備え、
前記パワー制御部は前記メモリに記憶されている監視情報を基にして前記光送信機から送信される光信号のパワーを前記光送信機に入力した正常な入力データ信号における光信号のパワーにする、請求項１〜６のいずれかに記載の光送信機。
【請求項８】
請求項１〜７のいずれかに記載の光送信機であって互いに異なる波長の光信号を送信する複数の光送信機と、
前記複数の光送信機から送信された光信号を合波する光合波器と、
前記光合波器で合波された光信号を伝送する光伝送路と、
前記光伝送路に配置された自動利得制御のモードで動作する光増幅器と、
を備える、波長分割多重伝送システム。
【発明の詳細な説明】
【０００１】
【発明の属する技術分野】
本発明は波長分割多重伝送に使用される光送信機及びこの光送信機を含む波長分割多重伝送システムに関する。
【０００２】
【従来の技術】
波長分割多重(以下、WDMと記載することがある)伝送システムは、波長軸上に多重化された波長の異なる複数の光信号を光ファイバのような光伝送路で伝送することにより、高速かつ大容量の光通信を行う伝送システムである。WDM伝送システムは波長の異なる複数の光送信機の各々により光信号を送信し、これらの光信号を多重化して光ファイバに入力し、光ファイバから出力された多重化された光信号を各波長の光信号に分波し、複数の光受信機の各々により分波された各光信号を電気信号に変換するシステムである。
【０００３】
WDM伝送システムは長距離伝送が原因で多重化された複数の光信号の伝送損失が不可避的に生じる。この伝送損失を補うために、通常、光ファイバの中継局として所定間隔ごとに光増幅器が設置される。光増幅器としては、例えばエルビウム添加ファイバ増幅器(EDFA:Erbium-Doped Fiber Amplifier)が知られている。エルビウム添加ファイバ増幅器はオートパワーコントロール(APC:Auto Power Control)により自動利得制御がなされるのが一般的である。オートパワーコントロールとは光出力値を一定にするように帰還制御（利得を可変にして光出力値を一定に制御）することである。
【０００４】
【発明が解決しようとする課題】
何らかの原因である光送信機に入力される入力データ信号にデータが含まれないこと、つまり、あるチャンネルの信号にデータが含まれないことがある。これをデータオフといい、入力データ信号が異常な状態である。データオフが発生した光送信機では光信号のパワーが正常時より落ちるので、上記オートパワーコントロールが作動する。これにより、他の光送信機から送信される光信号（つまり正常な入力データを含む電気信号から変換される光信号）もオートパワーコントロールにより必要以上に増幅されてしまう。この結果、正常な入力データ信号を基にして光信号を送信している他の光送信機において、信号対雑音比が劣化する問題や正常なチャンネルの光受信器等に入力する光信号のパワーが大きくなりすぎてこの光受信器等に悪影響を及ぼす問題が生じる。
【０００５】
本発明は光送信機に入力する入力データ信号が異常な状態でも、他の光送信機から送信される光信号（つまり正常な入力データを含む電気信号を変換した光信号）が必要以上に増幅されるのを防ぐことができる光送信機及びこの光送信機を含む波長分割多重伝送システムを提供することである。
【０００６】
【課題を解決するための手段】
本発明に係る光送信機は、波長分割多重伝送に用いられる光送信機であって、光送信機に入力した入力データ信号に基づいた電気信号であって光送信機から送信される光信号に変換される電気信号を監視する電気信号監視部と、光送信機から送信される光信号を監視して監視情報を作成する光信号監視部と、電気信号監視部が光送信機に入力した入力データ信号の異常により電気信号が異常と判断した場合、光信号監視部で作成された監視情報を基にして光送信機から送信される光信号のパワーを光送信機に入力した正常な入力データ信号における光信号のパワーとなるように制御するパワー制御部と、を備えることを特徴とする。
【０００７】
本発明に係る光送信機によれば、光送信機に入力した入力データ信号の異常により電気信号が異常と判断された場合、光送信機から送信される光信号のパワーを正常な電気信号（つまり正常な入力データ信号に基づいた電気信号）のときのそれと同じになるように制御をする。よって、電気信号が異常なときであっても送信される光信号のパワーは正常な電気信号のときに送信される光信号のパワーにすることができる。なお、入力データ信号の異常としては、例えば、入力データを含まない場合や同期外れのような場合である。光送信機に入力した入力データ信号は電気信号である。
【０００８】
本発明に係る光送信機の一態様として、光送信機は光送信機から送信される光信号を発生する発光素子と、変調を含めて発光素子を駆動する駆動回路と、発光素子にバイアス電流を供給するバイアス電流源とをさらに備え、パワー制御部は駆動回路及びバイアス電流源を制御することにより、光送信機から送信される光信号のパワーを光送信機に入力した正常な入力データ信号における光信号のパワーにする、がある。
【０００９】
本発明に係る光送信機の他の態様として、光送信機は光を発生する発光素子と、発光素子にバイアス電流を供給するバイアス電流源と、発光素子で発生した光を変調することにより光送信機から送信される光信号を生成する外部変調素子と、外部変調素子を駆動する駆動回路とをさらに備え、パワー制御部はバイアス電流源、外部変調素子及び駆動回路を制御することにより、光送信機から送信される光信号のパワーを光送信機に入力した正常な入力データ信号における光信号のパワーにする、がある。
【００１０】
本発明に係る光送信機のさらに他の態様として、光送信機は光を発生する発光素子と、発光素子にバイアス電流を供給するバイアス電流源と、発光素子で発生した光を変調することにより光送信機から送信される光信号を生成する外部変調素子と、外部変調素子を駆動する駆動回路とをさらに備え、外部変調素子は発光素子と同一基板に集積された電界吸収型であり、パワー制御部はバイアス電流源、外部変調素子及び駆動回路を制御することにより、光送信機から送信される光信号のパワーを光送信機に入力した正常な入力データ信号における光信号のパワーにする、がある。
【００１１】
本発明に係る光送信機において、光送信機は光送信機から送信される光信号を分岐する光分岐部をさらに備え、光信号監視部は光分岐部で分岐された光信号のパワーに基づいて光送信機から送信される光信号のパワーの平均値を演算する平均値演算部を含み、光信号監視部で作成される監視情報は平均値演算部で演算された平均値の情報である、ようにすることができる。これによれば、電気信号が異常なときであっても送信される光信号のパワーの平均値は正常な電気信号のときに送信される光信号のパワーの平均値にすることができる。
【００１２】
本発明に係る光送信機において、光信号監視部は外部変調素子で発生した暗電流の平均値を演算する平均値演算部を含み、光信号監視部で作成される監視情報は平均値演算部で演算された平均値の情報である、ようにすることができる。光分岐部を設けると光信号は分岐された分だけパワーが低下する。これによれば、光送信機から送信される光信号を監視するのに光分岐部を不要にすることができるので、光分岐部が原因となる光信号のパワーの低下をなくすことができる。
【００１３】
本発明に係る光送信機において、光送信機は正常な入力データ信号に基づいて光送信機から送信される光信号の監視により光信号監視部で作成される監視情報を記憶するメモリをさらに備え、パワー制御部はメモリに記憶されている監視情報を基にして光送信機から送信される光信号のパワーを光送信機に入力した正常な入力データ信号における光信号のパワーにする、ようにすることができる。
【００１４】
本発明に係る波長分割多重伝送システムは、本発明に係る光送信であって互いに異なる波長の光信号を送信する複数の光送信機と、複数の光送信機から送信された光信号を合波する光合波器と、光合波器で合波された光信号を伝送する光伝送路と、光伝送路に配置された自動利得制御のモードで動作する光増幅器と、を備えることを特徴とする。
【００１５】
本発明に係る波長分割多重伝送システムによれば、本発明に係る光送信機を用いるので、何れかの光送信機に入力した入力データ信号が異常であっても、その光送信機から送信される光信号のパワーは正常な電気信号のときに送信される光信号のパワーにすることができる。このため、光増幅器が他の光送信機から送信された光信号（つまり正常な入力データ信号を基にした光信号）を必要以上に増幅するのを防ぐことができる。
【００１６】
【発明の実施の形態】
以下、添付図面を参照しながら本発明の実施の形態を詳細に説明する。図面の説明において同一の要素には同一の符号を付し、重複する説明を省略する。図１は本実施形態に係るWDM伝送システムのブロック図である。WDM伝送システム１は、搬送波の波長が各々異なる複数の光送信機３とこれらの光送信機３により送信された光信号を多重化する光合波器の一例である光マルチプレクサ５とを含む送信部７と、多重化された光信号を各波長の光信号に分波する光デマルチプレクサ９と、分波された各光信号を電気信号に変換する複数の光受信機１１とを含む受信部１３と、送信部７及び受信部１３の各々と光学的に接続された光伝送路の一例である光ファイバ１５と、により構成される。光送信機３及び光受信機１１の数はそれぞれN個あり、第１チャンネル〜第Nチャンネルに対応する。
【００１７】
WDM伝送システム１はさらに光ファイバ１５の中継局として所定間隔ごとに配置された光中継器１７と、各光中継器１７に設けられ多重化された光信号を増幅する光増幅器１９と、を備える。光増幅器１９はエルビウム添加ファイバ増幅器であり、オートパワーコントロールがなされている。
【００１８】
次に光送信機３について詳細に説明する。図２は本実施形態に係る光送信機３の第１例の構成を示すブロック図である。光送信機３は入力データ信号を含む電気信号が入力する入力部２１と、入力部２１と電気的に接続された駆動回路２３と、駆動回路２３により駆動され光送信機３が送信する光信号を発生させる例えば半導体レーザダイオードのような発光素子２５と、発光素子２５を動作させるために発光素子２５にバイアス電流を供給するバイアス電流源２７と、発光素子２５と光学的に接続され光送信機３が送信する光信号を分岐する光分岐部２９とを備え、光分岐部２９で分岐された光信号の大部分が光送信機３から出力され図１で説明した光マルチプレクサ５に伝送される。
【００１９】
光送信機３はさらに、光分岐部２９で分岐された光信号の一部分を受光し発光素子２５で発生した光信号を検出する例えばフォトダイオードのような検出用受光素子３１と、検出用受光素子３１で検出された光信号を基にして発光素子２５で発生した光信号のパワー（出力値）の平均値を演算する平均値演算部３３とを備える。検出用受光素子３１により検出される光信号は発光素子２５である半導体レーザダイオードの前面光に限らず背面光でもよい。検出用受光素子３１及び平均値演算部３３により、光送信機３から送信される光信号を監視して監視情報を作成する光信号監視回路３４が構成される。この監視情報の一例が上記平均値情報である。
【００２０】
光送信機３はさらに、入力部２１と電気的に接続されかつ入力した電気信号を監視する電気信号監視回路３５を備える。電気信号監視回路３５は入力データ信号が異常な場合（例えば入力データを含まない場合や同期外れのような場合）、この入力データ信号を含む電気信号を異常と判断し、電気信号監視回路３５は次に説明するCPU３７に異常情報を伝える。
【００２１】
光送信機３はさらに、この異常情報及び平均値演算部３３で演算された最新の平均値情報が入力されるCPU３７を備える。CPU３７は駆動回路２３及びバイアス電流源２７を制御する機能を有する。例えば、CPU３７はバイアス電流源２７が発光素子２５に供給するバイアス電流の値を制御する。CPU３７はパワー制御部として機能する。
【００２２】
CPU３７は平均値演算部３３で演算された平均値情報を記憶するメモリ３９を含む。図３はメモリ３９の一例の概略を示すブロック図である。図３に示すメモリ３９はFIFO(First in First Out)メモリである。メモリ３９はアドレスA0、アドレスA1、アドレスA2、・・・、アドレスAmを備える。平均値演算部３３では絶えず平均値情報が演算され、演算された平均値情報がメモリ３９に入力し最初のアドレスであるアドレスA0に記憶される。そして、アドレスA0に既に記憶されていた平均値情報はアドレスA1に送られ、アドレスA1に既に記憶されていた平均値情報はアドレスA2、・・・、アドレスAm-1に既に記憶されていた平均値情報はアドレスAmに送られる。アドレスAmに記憶されている平均値情報が一番古い平均値情報である。図３に示すメモリ３９によれば、平均値情報はメモリ３９に記憶されてから一定期間過ぎたものから順番に破棄される。つまり、アドレスAmに記憶された平均値情報は、新たな平均値情報がアドレスA0記憶されると自動的に破棄される。
【００２３】
次に図２に示す電気信号監視回路３５について詳細に説明する。図４は電気信号監視回路３５の一例の構成を示すブロック図である。電気信号監視回路３５は識別回路４１を備え、識別回路４１の一方の入力端子には光送信機３に入力した入力データ信号を含む電気信号が入力し、他方の入力端子には基準電圧源４３からの基準電圧が入力する。光送信機３に入力した入力データ信号を含む電気信号は識別回路４１により「H」又は「L」の識別がなされ、この識別処理後の電気信号がカウンタ４５のリセット端子Rに入力される。カウンタ４５のクロック端子Cには基準発振器４７からのクロック信号が入力する。
【００２４】
図５は基準発振器４７からのクロック信号CLKと識別回路４１から出力された識別処理後の電気信号Sとの関係の一例を示すタイミングチャートである。カウンタ４５は電気信号Sが「H」のときにリセットされるので、カウンタ４５は電気信号Sが「L」の期間におけるクロック信号のパルスの数を計数する。従って、カウンタ４５で計測されるクロック信号のパルスはPで示すようになる。
【００２５】
電気信号Sの「L」の期間が所定期間より長い場合、電気信号が入力データ信号を含まない等の異常と判断することができる。よって、カウンタ４５で計数したクロック信号のパルス数が所定数を超えると、電気信号の異常と判断されカウンタ４５から異常情報がCPU３７に向けて出力される。例えば、図５では期間Ｔ1が正常と判断され、期間Ｔ2が異常と判断される。なお、オートパワーコントロールにより図１に示す光増幅器１９が制御される前に電気信号の異常を検知しなければ光信号のパワーの制御が遅れ、正常な入力データ信号を基にして光信号を送信している他の光送信機において信号対雑音比の劣化等の問題が発生するので、クロック信号CLKの周波数は光増幅器１９のオートパワーコントロールの時定数（数十ms程度）で決まる周波数よりも十分高いことが必要である。
【００２６】
次に光送信機３の第１例の動作について図２を用いて説明する。正常な入力データ信号を含む電気信号、つまり正常な電気信号が光送信機３に入力されている場合、この正常な電気信号を基にして駆動回路２３はバイアス電流源２７からバイアス電流が供給されている発光素子２５を駆動する。この駆動は変調（On/Off動作）を含む駆動であり、これにより発光素子２５が直接変調され発光素子２５から光信号が発生する。光信号は光分岐部２９を通り光送信機３から出力される。
【００２７】
発光素子２５で発生した光信号は絶えずその一部が光分岐部２９を介して、検出用受光素子３１により検出され、電気信号に変換されて平均値演算部３３に送られる。これにより、平均値演算部３３は光信号のパワーの平均値を絶えず演算し、CPU３７及びメモリ３９に向けて出力する。
【００２８】
電気信号監視回路３５は絶えず入力データ信号を含む電気信号を監視しており、異常な入力データ信号を含む電気信号が光送信機３に入力された場合、電気信号監視回路３５は異常情報をCPU３７に送る。CPU３７は図３に示すアドレスAmに記憶されている平均値情報が取り出す。そして、CPU３７はこの取り出された平均値情報と平均値演算部３３からCPU３７に送られた電気信号が異常なときにおける光信号のパワーの平均値情報とを比較演算する。この比較演算により得られた差分を基にして、正常な入力データ信号を含む電気信号のときの光信号のパワーの平均値となるように発光素子２５から発生する光信号のパワー、つまり光送信機３から送信される光信号のパワーを制御する。
【００２９】
このパワー制御の一例を説明する。CPU３７が駆動回路２３を制御することにより駆動回路２３が発光素子２５に変調電流を送るのを停止させ、発光素子２５をDC（直流）動作させる。このDC動作の基でCPU３７がバイアス電流源２７を制御し、光信号のパワーの平均値が正常な入力データ信号を含む電気信号のときの光信号のパワーの平均値となるようにする。この例において異常な入力データ信号を含む電気信号のときに光送信機３から出力される光信号は直流波形である。
【００３０】
また、このパワー制御の他の例を説明する。駆動回路２３中に参照信号として例えばデューティ(Duty)比５０％の標準クロック器を配置する。CPU３７が駆動回路２３を制御することにより、この標準クロック器を動作させる。CPU３７は正常な入力データ信号を含む電気信号のときの変調電流及びバイアス電流となるように駆動回路２３及びバイアス電流源２７を制御し、光信号のパワーの平均値が正常な入力データ信号を含む電気信号のときの光信号のパワーの平均値となるようにする。この例において異常な入力データ信号を含む電気信号のときに光送信機３から出力される光信号は標準クロックの波形を含む。なお、標準クロック器に限らず、決められた所定のエラーパターンの波形を発生させる回路でもよい。
【００３１】
次に本実施形態に係る光送信機３の第２例について図６を用いて説明する。図６は光送信機３の第２例の構成を示すブロック図である。図２に示す第１例と相違するのは第２例が外部変調素子４９を備えることである。第２例では発光素子２５で直流波形の光を発生させ、その光を外部変調素子４９により変調して光信号にしている。
【００３２】
図７は外部変調素子４９の一例を示す模式図である。これはマッハツェンダー(MZ:Mach Zehnder)型の外部変調素子である。発光素子２５で発生した光が光導波路５１に入力し、入力した光は二つに分岐され光導波路５３、５５に送られ、光導波路５３、５５から出力された光は合波され光導波路５７に入力して光分岐部２９に送られる。光導波路５３、５５のそれぞれの中間部には駆動回路２３からの駆動電圧が印加される端子５９、６１が取り付けられている。端子５９、６１に駆動電圧を印加することにより、導波路５３内の光と導波路５５内の光とに位相差を生じさせて光信号を生成する。
【００３３】
第２例の光送信機３に異常な入力データ信号を含む電気信号が入力した場合、第１例と同様に電気信号監視回路３５は異常情報をCPU３７に送る。これによりCPU３７は駆動回路２３、バイアス電流源２７及び外部変調素子４９に設けられているバイアス電圧制御回路（図示せず）を制御する。詳しくは、駆動回路２３には図４に示すような識別回路が設けられており、CPU３７によりこの識別回路の閾値電圧を「H」又は「L」にする制御がなされる。これにより、電気信号に含まれる雑音成分を除去する。CPU３７により外部変調素子４９に設けられているバイアス電圧制御回路を制御して外部変調素子４９内の光信号の位相差を一定（例えば零）となるようにする。そしてCPU３７によりバイアス電流源２７を制御して、光信号のパワーの平均値が正常な入力データ信号を含む電気信号のときの光信号のパワーの平均値となるようにする。この場合において異常な入力データ信号を含む電気信号のときに光送信機３から出力される光信号は直流波形である。
【００３４】
このパワー制御は次のようにすることもできる。駆動回路２３が駆動回路２３に入力した電気信号にエラーパターン信号を合成する機能を持つようにする。異常な入力データ信号を含む電気信号の場合、CPU３７が駆動回路２３を制御し、エラーパターン信号を合成する機能を作動させる。CPU３７によりバイアス電流源２７を制御して、光信号のパワーの平均値が正常な入力データ信号を含む電気信号のときの光信号のパワーの平均値となるようにする。この場合において異常な入力データ信号を含む電気信号のときに光送信機３から出力される光信号はエラーパターン信号の波形を含む。
【００３５】
次に本実施形態に係る光送信機３の第３例について図８を用いて説明する。図８は光送信機３の第３例の構成を示すブロック図である。図６に示す第２例と相違するのは第３例が発光素子２５と外部変調素子４９とが同一基板に集積されていることである。
【００３６】
図９はこれらの素子が同一基板に集積されたデバイスの模式図である。第３例の光送信機３に備えられる外部変調素子４９は電界吸収(EA:Electro Absorption)型であり、電極６５間に半導体層６３が多層に積層された構造を有している。
電極６５に印加される逆バイアス電圧により外部変調素子４９の光の吸収率が変化することを利用して、発光素子２５の活性層６７で発生した直流波形の光を変調し光信号を生成する。外部変調素子４９に逆バイアス電圧が印加されることにより、活性層６７で発生した光が外部変調素子４９を通過する際に一部の光が吸収されて暗電流が発生する。第３例ではこの暗電流を平均値演算部３３に送る。
平均値演算部３３では暗電流の平均値を演算してCPU３７及びメモリ３９に送る。異常な入力データ信号を含む電気信号が入力した時、暗電流の平均値が正常な入力データ信号を含む電気信号のときの暗電流の平均値となるようにCPU３７は各種制御をする。これにより、光信号のパワーの平均値が正常な入力データ信号を含む電気信号のときの光信号のパワーの平均値となるようにする。CPU３７による上記各種制御は第２例と同様である。
【００３７】
第３例によれば、外部変調素子４９から発生する暗電流の平均値を利用するので、第１例や第２例のように光分岐部２９及び検出用受光素子３１が不要となる。
【００３８】
以上説明したように本実施形態によれば、ある光送信機３に異常な入力データ信号を含む電気信号が入力した場合、この光送信機３から送信される光信号のパワーの平均値が正常な入力データ信号を含む電気信号のときのそれと同じにする制御をする。このため、この光送信機３に入力する入力データ信号が異常な状態でも、他の光送信機から送信される光信号（つまり正常な入力データを含む電気信号から変換された光信号）が必要以上に増幅されるのを防ぐことができる。よって、他の光送信機において信号対雑音比が劣化する問題や正常なチャンネルの光受信器等に入力する光信号のパワーが大きくなりすぎてこの光受信器等に悪影響を及ぼす問題を防ぐことができる。
【００３９】
また、本実施形態によれば、上記制御を光送信機３自体でするので、光送信機３の外部にある制御装置の負担を減らすことができるし、また、データオフのような入力データ信号の異常を検知する機能を有しない光受信機と共に光波長変換機や光送受信機を構成することもできる。
【００４０】
波長変換機能有する光送信機、つまりSDH光送信機からの光信号を受信し光−電気−光変換し光信号を送信する光送信機の場合、外部からの光信号を受信する機能を持つ。よって、光信号が送られていない場合や光信号の同期外れのような場合の異常を受信部分で監視し、異常な信号の場合、光信号のパワーの平均値が正常な信号のときのそれと同じになる制御をすることができる。しかし、光送信機が外部からの光信号を受信する機能を有するのは上記のような場合に限られ、一般的な光送信機はこのような機能を持たない。よって、本実施形態に係る光送信機３によれば外部からの光受信機能を持たないものであっても伝送する信号の異常を監視し、異常な信号の場合、光信号のパワーの平均値が正常な信号のときのそれと同じになる制御をすることができる。
【００４１】
【発明の効果】
本発明に係る光送信機及び波長分割多重伝送システムによれば、光送信機に入力した入力データ信号が異常であってもこのときに送信される光信号のパワーを正常な入力データ信号のときに送信される光信号のパワーにすることができる。このため、ある光送信機に入力する入力データ信号が異常な状態でも、他の光送信機から送信される光信号（つまり正常な入力データ信号を含む電気信号から変換された光信号）が必要以上に増幅されるのを防ぐことができる。よって、正常な入力データ信号を基にして光信号を送信している他の光送信機において、信号対雑音比が劣化する問題や正常なチャンネルの光受信器等に入力する光信号のパワーが大きくなりすぎてこの光受信器等に悪影響を及ぼす問題を防ぐことができる。
【００４２】
また、本発明に係る光送信機及び波長分割多重伝送システムによれば、光送信機に入力した入力データ信号が異常なときにその光送信機から送信される光信号のパワーが正常な入力データ信号のときに送信される光信号のパワーにする制御を光送信機自体でするので、光送信機の外部の制御装置に何ら特別な機能を付与することなく、上記信号対雑音比が劣化する問題等の発生を防ぐことができる。
【図面の簡単な説明】
【図１】本実施形態に係るWDM伝送システムのブロック図である。
【図２】本実施形態に係る光送信機の第１例の構成を示すブロック図である。
【図３】本実施形態に係る光送信機に備えられるメモリの一例の概略を示すブロック図である。
【図４】本実施形態に係る光送信機に備えられる電気信号監視回路の一例の構成を示すブロック図である。
【図５】図４に示す電気信号監視回路において、基準発振器からのクロック信号CLKと識別回路から出力された識別処理後の電気信号Sとの関係の一例を示すタイミングチャートである。
【図６】本実施形態に係る光送信機の第２例の構成を示すブロック図である。
【図７】図６に示す光送信機に備えられる外部変調素子の一例を示す模式図である。
【図８】本実施形態に係る光送信機の第３例の構成を示すブロック図である。
【図９】図８に示す光送信機に備えられる発光素子と外部変調素子とが同一基板に集積されているデバイスの模式図である。
【符号の説明】
１・・・WDM伝送システム、３・・・光送信機、５・・・光マルチプレクサ、７・・・送信部、９・・・光デマルチプレクサ、１１・・・光受信機、１３・・・受信部、１５・・・光ファイバ、１７・・・光中継器、１９・・・光増幅器、２１・・・入力部、２３・・・駆動回路、２５・・・発光素子、２７・・・バイイス電流源、２９・・・光分岐部、３１・・・検出用受光素子、３３・・・平均値演算部、３４・・・光信号監視回路、３５・・・電気信号監視回路、３７・・・CPU、３９・・・メモリ、４１・・・識別回路、４３・・・基準電圧源、４５・・・カウンタ、４７・・・基準発振器、４９・・・外部変調素子、５１，５３，５５，５７・・・光導波路、５９，６１・・・端子、６３・・・半導体層、６５・・・電極、６７・・・活性層
【図１】
0004569064.tif 000002
【図２】
0004569064.tif 000003
【図３】
0004569064.tif 000004
【図４】
0004569064.tif 000005
【図５】
0004569064.tif 000006
【図６】
0004569064.tif 000007
【図７】
0004569064.tif 000008
【図８】
0004569064.tif 000009
【図９】
0004569064.tif 000010